(57)【要約】【課題】簡易に装着や取り外しができるＩＤカードを提供すること。【解決手段】ＩＤカード１０は、プレート１２の少なくとも片面上にＩＤ情報１４が表示されたＩＤ表示領域１６が設けられ、上記ＩＤ表示領域１６の上方にＩＤカード装着用具と嵌合する装着用貫通孔１８が設けられる。【選択図】図１
2007021889.tif 000002
【特許請求の範囲】
【請求項１】
プレートの少なくとも片面上にＩＤ情報が表示されたＩＤ表示領域を設け、上記ＩＤ表示領域の上方にＩＤカード装着用具と嵌合する装着用貫通孔を設けたことを特徴とするＩＤカード。
【請求項２】
上記装着用貫通孔は、上記ＩＤカードの上部中央に設けられた単孔であることを特徴とする請求項１記載のＩＤカード。
【請求項３】
上記装着用貫通孔は、上記ＩＤカードの装着時に上記ＩＤカードが上記ＩＤカード装着具に係止される、上方に凹んだ形状をした係止部を有することを特徴とする請求項１記載のＩＤカード。
【請求項４】
上記装着用貫通孔は横長の形状をしており、上記係止部は上記装着用貫通孔の一端に設けられていることを特徴とする請求項３記載のＩＤカード
【請求項５】
上記プレートは、プレート基材と、上記プレート基材上に配されたＩＤ情報が表示されたＩＤ表示シートと、を有することを特徴とする請求項１記載のＩＤカード。
【請求項６】
上記ＩＤ表示シートは上記プレート基材上に貼られていることを特徴とする請求項５に記載のＩＤカード。
【請求項７】
上記ＩＤ表示シート上には、少なくとも上記ＩＤ情報に対応する部分が透明な、上記ＩＤ表示シートを覆うカバーシートが被されていることを特徴とする請求項５記載のＩＤカード。
【請求項８】
上記透明カバーシートには、周囲に不透明な枠領域が形成され、上記枠領域によって上記ＩＤ表示シートの縁が視認不能とされていることを特徴とする請求項７記載のＩＤカード。
【請求項９】
上記プレートは１枚のシートを折り曲げ重ねて形成したものであることを特徴とする請求項１記載のＩＤカード。
【請求項１０】
上記折り曲げは、上記１枚のシートの中心線から２つ折にしたものであることを特徴とする請求項９記載のＩＤカード。
【請求項１１】
上記２つ折りにされたシートの間に、補強用プレートが挟まれていることを特徴とする請求項１０記載のＩＤカード。
【請求項１２】
上記折り曲げは、少なくとも上記装着用貫通孔の周囲が複数層のシートから成る態様でされたことを特徴とする請求項９記載のＩＤカード。
【請求項１３】
ＩＤカード作成方法は以下の工程を有する、
対象人物を特定する情報をコンピュータに入力する工程、
記憶媒体にアクセスして、上記記憶媒体上に記憶された上記対象人物に関する情報を読み出す工程、
上記読み出した上記対象人物に関する情報を、一枚の平面媒体から複数枚数のＩＤカードがとれるような態様で、プリンタで上記平面媒体上にプリントする工程、
上記プリントされた平面媒体から、ＩＤカードに利用する部分を分離する工程。
【請求項１４】
コンピュータを用いてＩＤカードを作成するプログラムであり、当該プログラムはコンピュータに、
入力装置から入力された、対象人物を特定する情報を受け付けさせ、
上記受け付けた情報に基づいて、記憶媒体にアクセスさせて、上記記憶媒体上に記憶された上記対象人物に関する情報を読み出させ、
上記読み出した上記対象人物に関する情報を、一枚の平面媒体から複数枚数のＩＤカードがとれるような態様で、プリンタを使って上記平面媒体上にプリントさせる、
ことを特徴とするＩＤカード作成プログラム。
【請求項１５】
少なくとも１枚のカードサイズのプレートの所定位置にＩＤ情報をプリントして、上記プレートを分離可能な台紙であって、
上記カードサイズのプレートにおける上記ＩＤ情報がプリントされるべき上記所定位置の上方に、ＩＤカード装着用具と嵌合する装着用貫通孔が設けられていることを特徴とするＩＤカード作成用台紙。
【発明の詳細な説明】
【技術分野】
【０００１】
本発明は、装着者のＩＤ情報が表示されたＩＤカード、及びこのようなＩＤカードの作成方法と作成プログラム、更には、ＩＤカード作成用台紙に関する。
【背景技術】
【０００２】
人によって装着され、その装着者のＩＤ情報を表示するＩＤカードが広く用いられている。こういったＩＤカードは、通常、（１）プレートの裏面に安全ピンなどを取り付けて着衣に装着できるようにしたもの、（２）一枚のプレートを透明ホルダに収容した状態で、上記ホルダを使って着衣に取り付けたり、ストラップによってホルダごと首から下げて装着できるようにしたもの、などがある。また、（３）一枚の細長いプレートを胸ポケットに差し入れ、胸ポケットの上部に露出する部分にＩＤ情報を表示したものなどもある。
【０００３】
上記（１）のタイプは、ＩＤカードを名札専用として用いる場合に多用される。また、上記（２）のタイプは、透明ホルダからＩＤカードを容易に取り出せるので、ＩＤカードを名札としての用途以外に、例えばコンピュータ読み取り可能な記憶媒体として使う場合に便利である。上記（３）の場合は、展示会の時、ＩＤカードの上部に名刺を貼ることにより、簡易にＩＤカードを完成できる。
【０００４】
例えば、特許文献１には、上記（２）のタイプのＩＤカードに用いられるホルダが開示されている。
【特許文献１】特開平６−１１０３９０号公報
【発明の開示】
【発明が解決しようとする課題】
【０００５】
しかし、上記（１）のタイプのＩＤカードは衣類からの着脱が不便である。また、安全ピンなどをプレートの裏面に取り付ける必要があるので、簡易に製作できない欠点がある。
【０００６】
上記（２）のタイプは、ストラップやクリップといったＩＤカード装着用具とは別に、ＩＤカードを収容するホルダを用意しておく必要がある。また、ＩＤカードを収容するホルダの多くは透明プラスチックや透明ビニール等で作られるので、使用によって割れたり、切れたりして、耐性に欠ける面がある。このため、頻繁に取り替える必要があった。
【０００７】
上記（３）のタイプは、胸にポケットが無ければ使えない。また、名刺を貼る態様なので見づらいし、多機能化ができない。
【０００８】
近年、人材の流動化や交流が深まる社会情勢を背景に、簡易な構造で簡単に作れるＩＤカードが求められていた。また、着脱が容易であり、且つ、耐性に欠けるカードホルダが不要なＩＤカードが求められていた。更に、専用のＩＤカード作成用の装置など設備投資をなるべく抑えたいとの要求もあった。
【０００９】
本発明は、このような社会情勢に鑑みてなされたもので、簡易に装着や取り外しができるＩＤカード、及びそのようなＩＤカードを簡易に汎用的な設備で作成できるＩＤカード作成方法、ＩＤカード作成プログラム、及びＩＤカード作成用台紙を提供することを目的とする。
【課題を解決するための手段】
【００１０】
本発明のＩＤカードの一態様は、
プレートの少なくとも片面上にＩＤ情報が表示されたＩＤ表示領域を設け、上記ＩＤ表示領域の上方にＩＤカード装着用具と嵌合する装着用貫通孔を設けたことを特徴とする。
【００１１】
本発明のＩＤカード作成方法の一態様は、以下の工程を有する、
対象人物を特定する情報をコンピュータに入力する工程、
記憶媒体にアクセスして、上記記憶媒体上に記憶された上記対象人物に関する情報を読み出す工程、
上記読み出した上記対象人物に関する情報を、一枚の平面媒体から複数枚数のＩＤカードがとれるような態様で、プリンタで上記平面媒体上にプリントする工程、
上記プリントされた平面媒体から、ＩＤカードに利用する部分を分離する工程。
【００１２】
本発明のＩＤカード作成プログラムの一態様は、
コンピュータを用いてＩＤカードを作成するプログラムであり、当該プログラムはコンピュータに、
入力装置から入力された、対象人物を特定する情報を受け付けさせ、
上記受け付けた情報に基づいて、記憶媒体にアクセスさせて、上記記憶媒体上に記憶された上記対象人物に関する情報を読み出させ、
上記読み出した上記対象人物に関する情報を、一枚の平面媒体から複数枚数のＩＤカードがとれるような態様で、プリンタを使って上記平面媒体上にプリントさせる、
ことを特徴とする。
【００１３】
本発明のＩＤカード作成用台紙の一態様は、
少なくとも１枚のカードサイズのプレートの所定位置にＩＤ情報をプリントして、上記プレートを分離可能な台紙であって、
上記カードサイズのプレートにおける上記ＩＤ情報がプリントされるべき上記所定位置の上方に、ＩＤカード装着用具と嵌合する装着用貫通孔が設けられていることを特徴とする。
【発明の効果】
【００１４】
本発明によれば、簡易に装着や取り外しができるＩＤカード、及びそのようなＩＤカードを簡易に汎用的な設備で作成できるＩＤカード作成方法、ＩＤカード作成プログラム、及びＩＤカード作成用台紙を提供できる。
【発明を実施するための最良の形態】
【００１５】
以下、本発明を実施するための最良の形態を図面を参照して説明する。
【００１６】
［第１実施形態］
図１（Ａ）及び（Ｂ）は、本発明の第１実施形態に係るＩＤカードの表面及び裏面を示す図である。
【００１７】
即ち、本実施形態に係るＩＤカード１０は、プレート１２の少なくとも片面、ここでは表面に、ＩＤ情報１４として写真画像や氏名・所属などが表示されるＩＤ表示領域１６が設けられ、そのＩＤ表示領域１６の上方に、不図示のＩＤカード装着用具と嵌合する装着用貫通孔１８が設けられたものである。
【００１８】
この場合、上記装着用貫通孔１８は、上記ＩＤカード１０の上部中央に設けられた単孔として形成されている。そして、この装着用貫通孔１８は、上記ＩＤカード１０の装着時に上記ＩＤカード１０が上記ＩＤカード装着用具に係止される、上方に凹んだ形状をした係止部２０を有している。ここで、図１（Ｂ）に示すように、上記ＩＤカード１０の重心をＰ、上方に凹んだ形状をした係止部２０の位置をＱとしたとき、それらＱとＰを結ぶ直線は懸垂線２２となる。この懸垂線２２とＩＤ表示領域１６におけるＩＤ情報の表示の向きＤ（表示が傾いたり、横にならずに、正しく見える方向）は平行になっている。
【００１９】
なお、上記プレート１２の材質は、例えば、紙やプラスチックである。
【００２０】
このように、本実施形態に係るＩＤカード１０は、ＩＤカード装着用具と嵌合する装着用貫通孔１８がＩＤ表示領域１６上部に設けられているので、ＩＤカード１０を収納するホルダを必要とすることなく、ＩＤカード１０を直接にＩＤカード装着用具に取り付けることができる。また、ＩＤカード装着用具から取り外したＩＤカード１０は通常のクレジットカード等と同様の大きさとなるので、使用しないときには、そのままカードホルダに収容することができる。
【００２１】
なお、ＩＤカード装着用具としては、例えば、クリップやストラップがある。これらは多くの場合には汎用品のクリップやストラップで事足り、また、専用品を使う場合でもホルダに比較して長い寿命があるものである。このようにＩＤカード用にホルダを在庫しておく無駄が省ける。また、装着用貫通孔１８によってＩＤカード１０を保持するので、挟持などに比べてＩＤカードが落ちる確率が低い。
【００２２】
また、上記装着用貫通孔１８を上記ＩＤカード１０の上部中央に設けられた単孔として形成しているので、装着用貫通孔１８と嵌合するＩＤカード装着用具がＩＤ表示領域１６を覆うこと無く、バランス良く、ＩＤカード１０をＩＤカード装着用具に取り付けることができる。
【００２３】
さらに、上記装着用貫通孔１８に、上記ＩＤカード１０の装着時に上記ＩＤカード１０が上記ＩＤカード装着用具に係止される、上方に凹んだ形状をした係止部２０を設けているので、ＩＤカード１０とＩＤカード装着具の位置関係が安定する。
【００２４】
また、ＩＤカードの構造が単純なので、ＩＤカード作成用に専用装置を導入する必要性も低い。多くの場合は、標準的なパーソナルコンピュータとプリンタの組み合わせで、ハードウェア的には十分である。
【００２５】
以下、このようなＩＤカード１０の作成方法を説明する。  
即ち、本実施形態においては、図２（Ａ）及び（Ｂ）に示すような、少なくとも１枚のカードサイズのプレート１２の所定位置にＩＤ情報１４をプリントして、上記プレート１２を分離可能な平面媒体である台紙２４を使用する。図２（Ａ）は葉書サイズの台紙２４を示しており、図２（Ｂ）はＢ５サイズの台紙２４を示している。
【００２６】
この台紙２４の材質は、上記ＩＤカード１０のプレート１２と同様、例えば紙やプラスチックであり、上記カードサイズのプレート１２に合わせて、ミシン目２６が設けられて、プレート１２を容易に分離可能となっている。もちろん、台紙２４が薄い紙の場合には、ミシン目２６が有っても無くても良い。さらに、ミシン目２４の代わりに、切り取り線を表示するものであっても良い。その場合、コンピュータで切り取り線もプリントしても良いし、予め台紙２４に印刷してあっても良い。
【００２７】
また、そのカードサイズのシートにおける上記ＩＤ情報１４がプリントされるべき位置の上方には、ＩＤカード装着用具と嵌合するための上記装着用貫通孔１８が予め開けられている。もちろん、この装着用貫通孔１８についても、予め設けておく代わりに、ミシン目で処置しても良い。
【００２８】
そして、図３に示すように、標準的なパーソナルコンピュータ（ＰＣ）２８とプリンタ３０とを用いてＩＤカード１０を作成する。即ち、プリンタ３０に上記台紙２４をセットし、図４（Ａ）に示すように、ＰＣ２８を使ってＩＤカードとして必要なＩＤ情報１４を各プレート１２のＩＤ表示領域１６にプリントする（ステップＳ１０）。そして、ＩＤ情報がプリントされたプレート１２を台紙２４から分離することで、ＩＤカード１０が完成する（ステップＳ１２）。
【００２９】
図４（Ｂ）は、上記ステップＳ１０の処理を行うために上記ＰＣ２８で実行されるＩＤカード作成プログラムのフローチャートを示す図である。
【００３０】
即ち、まず、ＩＤカード１０の作成対象人物を特定するための識別情報をコンピュータに入力する（ステップＳ２０）。ここで、識別情報は、例えば社員データベースや会員データベースといったデータベースに登録された社員番号や会員番号である。もちろん、上記ＩＤ情報である写真画像や氏名・所属であっても良い。
【００３１】
次に、上記入力された識別情報で、データベースを検索して、上記対象人物に関する情報を読み出し（ステップＳ２２）、その読み出した上記対象人物に関する情報を、一枚の台紙２４から複数枚数のＩＤカード１０がとれるような態様となるように、所定のフォーマットに編集する（ステップＳ２４）。そして、得られたプリントイメージをＰＣ２８の画面に表示して（ステップＳ２６）、操作者からの判断入力を受け付ける（ステップＳ２８）。
【００３２】
ここで、操作者から所定の操作によるＯＫ指示の入力がない場合には（ステップＳ３０）、操作者からの修正指示入力を受け付けて（ステップＳ３２）、それに応じて上記ステップＳ２４で編集したフォーマットを修正して（ステップＳ３４）、上記ステップＳ２６に戻る。
【００３３】
而して、ＯＫ指示入力があったならば（ステップＳ３０）、プリンタ３０により台紙２４上にプリントを実行する（ステップＳ３６）。
【００３４】
このように、対象人物情報を特定する情報をＰＣ２８に入力すれば、データベース上の情報を用いて対象人物に関する情報が台紙２４に印刷され、この台紙２４からＩＤカード１０に利用する部分（プレート１２）を分離して用いる。このようにすれば、簡単に、汎用的な設備で、データベースの情報を利用して、ＩＤカード１０を作成できる。
【００３５】
［第２実施形態］
本発明の第２実施形態に係るＩＤカード１０は、プレート１２が、プレート基材と、上記プレート基材上に配されたＩＤ情報が表示されたＩＤ表示シートとから構成されるようにしたものである。
【００３６】
即ち、上記第１実施形態では、装着用貫通孔１８が予め開けられたプレート１２に対してＩＤ情報１４をプリントして台紙２４から分離することでＩＤカード１０を作成した。これに対し、本第２実施形態においては、図５に示すように、ＩＤ情報をプリント後、台紙２４からＩＤ表示シート３２の部分を分離して、装着用貫通孔１８が設けられたプレート基材３４にそれを貼ることで、ＩＤカード１０を作成するものである。
【００３７】
このようにすれば、プレート基材３４に十分な硬さと厚みを有する材質を選択すれば、ＩＤ表示シート３２は薄いものでもＩＤカード全体の強度は十分となる。このため、ＩＤ表示シート３２を、紙や樹脂シートに通常のプリンタでプリントして作成することもできる。従って、専用の設備を導入する必要性がさらに低下する。
【００３８】
特に、上記ＩＤ表示シート３２を上記プレート基材３４上に貼れば、簡単にＩＤカード１０を作成することができる。
【００３９】
なお、台紙２４は、剥離紙の上に接着剤でＩＤ表示シート３２を貼り付けた構造とし、台紙２４から（ミシン目や切り取り線に沿って）切り取ることでＩＤ表示シート３２を分離するものとすれば良い。あるいは、ＩＤ表示シート３２をシールとして形成し、台紙２４から剥がす形態であっても良い。
【００４０】
また、図６に示すように、プレート基材３４に透明カバーシート３６を付けておき、それらプレート基材３４と透明カバーシート３６とで、台紙２４から分離したＩＤ表示シート３２をサンドイッチしてＩＤカード１０を作成しても良い。
【００４１】
このように、ＩＤ表示シート３２上に、少なくとも上記ＩＤ情報１４に対応する部分が透明な、上記ＩＤ表示シート３２を覆う透明カバーシート３６を被せることにより、ＩＤ表示シート３２を汚れなどから保護することが可能となる。
【００４２】
またこの場合、図７に示すように、透明カバーシート３６の周囲に不透明枠領域３８を形成しても良い。このような不透明枠領域３８によって上記ＩＤ表示シート３２の縁が視認不能とすることで、ＩＤ表示シート３２の縁を綺麗に整えておく必要がなくなる。例えば、ＩＤ表示シート３２をミシン目で切り取るような態様にした場合に、切り取り部分が見苦しいが、透明カバーシート３６の不透明枠領域３８で隠されるので、問題でなくなる。
【００４３】
［第３実施形態］
ＩＤカード１０のプレート１２には、ある程度の強度があることが望ましいが、例えば、上記プレートを１枚のシートを折り曲げ重ねて形成すれば、薄いシートからでも強度のあるプレートを生成できる。このため、プリンタ３０が扱える範囲の厚さのシートでも、必要な強度を持つＩＤカード１０を作成することができる。もちろん、折り曲げ重ねる回数を増やせば、それだけ強度も強くなる。
【００４４】
折り曲げ重ねる場合の代表的な例としては、図８に示すように、台紙２４から分離したシート４０の中心線から２つ折にする場合がある。中心線から２つ折にするだけなので、作業が簡単であり、プレート全体として強度が一定になる。
【００４５】
さらに強度を増すためには、図９に示すように、その２つ折りにされたシート４０の間に、補強用プレート４２を挟んでも良い。補強用プレート４２としては、厚紙やプラスチックなどが適当である。
【００４６】
なお、図８及び図９では、ＩＤカード１０の表裏が同一のＩＤ情報１４を表示するものとしているが、それに限定されるものではないことはもちろんである。
【００４７】
また、折り曲げ重ねる場合に、装着用貫通孔１８周辺に力が掛かる点に鑑み、図１０に示すように、この部分を重点的に補強することも好ましい。これには、少なくとも上記装着用貫通孔１８の周囲が複数層のシートから成る態様にする。
【００４８】
［第４実施形態］
図１１（Ａ）及び（Ｂ）は、本発明の第４実施形態に係るＩＤカード１０の側面図及び正面図である。
【００４９】
本実施形態に係るＩＤカード１０では、装着用貫通孔１８を横長の形状として、係止部２０を上記装着用貫通孔１８の一端に設けたものである。但しこの場合、係止部２０の位置は、通常装着時にＩＤカード１０が左右に傾かないように、重心的な中央に配することが必要である。
【００５０】
このようなＩＤカード１０によれば、同図に示すような引っ掛け型のＩＤカード装着用具４４の場合には、図１１（Ｃ）に示すようにＩＤカード１０を９０度程度回転させることで、容易にＩＤカード１０をＩＤカード装着用具４４から取り外せるようになる。
【００５１】
例えば２次元コード４６が設けられたＩＤカード１０では、その２次元コード４６を機械に読み取らせる必要上、ＩＤカード１０が頻繁にＩＤカード装着用具４４から取り外されるが、本実施形態によれば、容易にＩＤカード１０をＩＤカード装着用具４４から取り外せるので、取り外し／装着の煩わしさを軽減できる。
【００５２】
以上実施形態に基づいて本発明を説明したが、本発明は上述した実施形態に限定されるものではなく、本発明の要旨の範囲内で種々の変形や応用が可能なことは勿論である。
【図面の簡単な説明】
【００５３】
【図１】図１（Ａ）及び（Ｂ）はそれぞれ本発明の第１実施形態に係るＩＤカードの表面及び裏面を示す図である。
【図２】図２（Ａ）及び（Ｂ）はそれぞれ葉書サイズ及びＢ５サイズの台紙を示す平面図である。
【図３】図３はＩＤカードを作成するためのシステムを示す斜視図である。
【図４】図４（Ａ）はＩＤカードの作成手順を説明するためのフローチャートを示す図であり、図４（Ｂ）はＰＣで実行されるＩＤカード作成プログラムのフローチャートを示す図である。
【図５】図５は本発明の第２実施形態に係るＩＤカードの作成手順を示す模式図である。
【図６】図６は第２実施形態の変形例に係るＩＤカードの作成手順を示す模式図である。
【図７】図７は第２実施形態の別の変形例に係るＩＤカードを示す正面図である。
【図８】図８は本発明の第３実施形態に係るＩＤカードの作成手順を示す模式図である。
【図９】図９は第３実施形態の変形例に係るＩＤカードの作成手順を示す模式図である。
【図１０】図１０は第３実施形態の別の変形例に係るＩＤカードの作成手順を示す模式図である。
【図１１】図１１（Ａ）及び（Ｂ）はそれぞれ本発明の第４実施形態に係るＩＤカードの側面図及び正面図であり、図１１（Ｃ）は第４実施形態に係るＩＤカードをＩＤカード装着用具から取り外す際の状態を示す図である。
【符号の説明】
【００５４】
１０…ＩＤカード、  １２…プレート、  １４…ＩＤ情報、  １６…ＩＤ表示領域、  １８…装着用貫通孔、  ２０…係止部、  ２２…懸垂線、  ２４…台紙、  ２８…パーソナルコンピュータ（ＰＣ）、  ３０…プリンタ、  ３２…ＩＤ表示シート、  ３４…プレート基材、  ３６…透明カバーシート、  ３８…不透明枠領域、  ４０…シート、  ４２…補強用プレート、  ４４…ＩＤカード装着用具、  ４６…２次元コード。
【図１】
2007021889.tif 000003
【図２】
2007021889.tif 000004
【図３】
2007021889.tif 000005
【図４】
2007021889.tif 000006
【図５】
2007021889.tif 000007
【図６】
2007021889.tif 000008
【図７】
2007021889.tif 000009
【図８】
2007021889.tif 000010
【図９】
2007021889.tif 000011
【図１０】
2007021889.tif 000012
【図１１】
2007021889.tif 000013